(57)【要約】【課題】メカニカルな動作を行う演出装置の動きが大きく、かつ、素早く、遊技者の大当たりへの期待感を十分に高揚させることが可能な遊技機を提供する。【解決手段】パチンコ機は、遊技盤４の遊技領域に大型遊技部材１１が設置されており、その大型遊技部材１１の下側中央に、遮蔽板１３が、遊技盤４の表面と所定の距離を隔てて平行に対峙するように設けられている。そして、その遮蔽板１３の後方には、相撲取りに模した形状を有する可動部材４３を、モータ３３によってガイドレール３９に沿って直線移動させた後に回動（後方へ傾動）可能なメカニカル演出装置３１ａ，３１ｂが左右一対に設けられている。【選択図】図２
2020006268.tif 000002
【特許請求の範囲】
【請求項１】
所定のタイミングでメカニカルに作動することによって遊技を演出するメカニカル演出装置と、液晶画面を表示部として有する表示装置とが設けられた遊技機であって、
前記メカニカル演出装置が、
装飾を施した可動部材と、直線移動する作動補助部材と、前記作動補助部材とは独立して同方向へ直線移動可能な支持部材とを備えているとともに、前記可動部材を、前記作動補助部材及び前記支持部材に夫々回転可能に枢着してなり、
前記所定のタイミングで前記作動補助部材と前記支持部材とが共に所定位置まで直線移動することにより、前記表示部外となる退避位置から前記表示部の前に露出する演出位置まで前記可動部材が所定姿勢のまま直線移動し、その後、さらに前記支持部材のみが前記所定位置までの直線移動と同方向へ移動することにより、前記可動部材が前記演出位置において前記所定の姿勢から特定の姿勢へと回動することを特徴とする遊技機。
【発明の詳細な説明】
【技術分野】
【０００１】
本発明は、パチンコ機等の遊技機に関するものである。
【背景技術】
【０００２】
遊技機の一例であるパチンコ機として、図柄始動口に遊技球が入賞した場合に、図柄表示装置において、図柄の変動表示を実行するとともに、制御装置内で大当たり抽選を実施し、その大当たり抽選の結果、大当たりとなった場合に、図柄表示装置に所定の大当たり図柄（たとえば、「７，７，７」）を表示し、大当たり状態を生起させ、大入賞口の開閉扉を所定回数だけ断続的に開成させて、遊技者に多くの賞品球を払い出すもの（所謂、図柄合わせタイプのパチンコ機）が知られている。
【０００３】
また、そのような図柄合わせタイプのパチンコ機の中には、図柄表示装置の周囲等に、左右方向あるいは前後方向に機械的な（メカニカルな）動作を実行可能な演出装置が設けられており、図柄表示装置において所定の態様（たとえば、所謂リーチ変動態様）で図柄の変動表示を実行する際に、所定のタイミングにおいて当該演出装置を作動させて、遊技者の大当たりへの期待感を高揚させるように構成されたものもある。
【先行技術文献】
【特許文献】
【０００４】
【特許文献１】特開２００３−１９０４０１号公報
【発明の概要】
【発明が解決しようとする課題】
【０００５】
しかしながら、従来の図柄合わせタイプのパチンコ機においては、演出装置（メカニカルな動作を行う演出装置）の動きが陳腐で、小さく、かつ、緩慢なものであるため、遊技者の大当たりへの期待感を十分に高揚させることができない、という不具合があった。
【０００６】
本発明の目的は、上記従来のパチンコ機が有する問題点を解消し、メカニカルな動作を行う演出装置の動きが斬新で、大きく、かつ、素早く、遊技者の大当たりへの期待感を十分に高揚させることができる遊技機を提供することにある。
【課題を解決するための手段】
【０００７】
上記目的を達成するために、本発明は、所定のタイミングでメカニカルに作動することによって遊技を演出するメカニカル演出装置と、液晶画面を表示部として有する表示装置とが設けられた遊技機であって、前記メカニカル演出装置が、装飾を施した可動部材と、直線移動する作動補助部材と、前記作動補助部材とは独立して同方向へ直線移動可能な支持部材とを備えているとともに、前記可動部材を、前記作動補助部材及び前記支持部材に夫々回転可能に枢着してなり、前記所定のタイミングで前記作動補助部材と前記支持部材とが共に所定位置まで直線移動することにより、前記表示部外となる退避位置から前記表示部の前に露出する演出位置まで前記可動部材が所定姿勢のまま直線移動し、その後、さらに前記支持部材のみが前記所定位置までの直線移動と同方向へ移動することにより、前記可動部材が前記演出位置において前記所定の姿勢から特定の姿勢へと回動することを特徴とする。
【０００８】
なお、多数の障害釘および各種の入賞装置を設置してなる遊技盤が前面に設けられているとともに、その遊技盤面上に、所定のタイミングでメカニカルに作動することによって遊技を演出するメカニカル演出装置が設けられた遊技機において、前記メカニカル演出装置が、装飾を施した可動部材と、直線移動する作動補助部材と、前記作動補助部材とは独立して同方向へ直線移動可能な支持部材とを備えているとともに、前記可動部材を、前記作動補助部材及び前記支持部材に夫々回転可能に枢着してなり、単一の駆動装置によって、前記所定のタイミングで前記作動補助部材と前記支持部材とが共に所定位置まで上昇することにより、前記可動部材が所定の姿勢のまま直線移動して上昇位置に達し、その後、さらに前記支持部材のみが上昇することにより、前記可動部材が前記上昇位置において前記所定の姿勢から特定の姿勢へと回動するという第１の構成を採用することも考えられる。
そして、そのような第１の構成を採用することにより、メカニカル演出装置が、装飾を施した可動部材を直線移動させた後に回動可能なものであり、作動内容が斬新でダイナミックであるため、非常に高い演出効果を発現させることができるので、遊技の趣向性が高く、遊技者の遊技に対する意欲を長期間に亘って高く保持することができるという効果を奏することができる。加えて単一の駆動装置によって、可動部材を駆動させるものであるため、安価に構成することができるという効果も奏することができる。
【０００９】
また、上記第１の構成を採用したものにおいて、前記メカニカル演出装置が、前記可動部材をレールに沿って直線移動させるものであるという第２の構成を採用することも考えられる。
そして、そのような第２の構成を採用することにより、メカニカル演出装置の作動が素早く、かつ、スムーズであるので、遊技の趣向性が非常に高く、遊技者の遊技に対する意欲をきわめて長期間に亘って高く保持することができるという効果を奏することができる。
【００１０】
さらに、上記第１の構成を採用したものや、第１の構成に加えて第２の構成を採用したものにおいて、前記駆動装置がモータであり、その主軸の回転運動が、ラック・ピニオン機構を介して、前記可動部材の直線運動、回転運動に変換されるという第３の構成を採用することも考えられる。
そして、そのような第３の構成を採用することにより、駆動装置の運動をロスなく可動部材の直線運動、回転運動に変換することができるため、少ない電力消費量で、可動部材をダイナミックに直線移動させ、かつ、回転させることができるという効果を奏することができる。また、長期間に亘って故障しにくく、メンテナンスが容易であるという効果も奏することができる。
【発明の効果】
【００１１】
本発明によれば、メカニカル演出装置が、作動補助部材及び支持部材により、装飾を施した可動部材を、表示部外となる退避位置から表示部の前に露出する演出位置まで直線移動させた後に回動可能としたものであるため、作動内容が斬新でダイナミックであり、非常に高い演出効果を発現させることができる。したがって、遊技の趣向性が高く、遊技者の遊技に対する意欲を長期間に亘って高く保持することができる。
【図面の簡単な説明】
【００１２】
【図１】パチンコ機の正面図である。
【図２】遊技盤の正面図である。
【図３】メカニカル演出装置の正面図（可動部材を演出位置で傾動させた状態）である。
【図４】メカニカル演出装置の背面図（可動部材を演出位置で傾動させた状態）である。
【図５】メカニカル演出装置の斜視図（可動部材を演出位置で傾動させた状態）である。
【図６】メカニカル演出装置の正面図（可動部材を演出位置に達した状態）である。
【図７】メカニカル演出装置の作動状態を示す説明図であり、両可動部材が演出位置に達した状態を示している。
【図８】メカニカル演出装置の作動状態を示す説明図であり、右側のメカニカル演出装置の可動部材が傾倒した状態を示している。
【図９】メカニカル演出装置の作動状態を示す説明図であり、左側のメカニカル演出装置の可動部材が傾倒した状態を示している。
【図１０】両可動部材が退避位置にあるメカニカル演出装置を示す説明図である。
【発明を実施するための形態】
【００１３】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００１４】
また、前面枠３の中央よりやや上側には、図２の如き遊技盤４が設置されており、その遊技盤の前面には、透明なガラス板を嵌め込んだガラス扉が、左端縁を中心として片開き自在に蝶着されている。そして、遊技盤４の表面には、金属製で帯状の導球レール８が円弧状に立設されており、当該導球レール８によって、略円形の遊技領域１０が区画された状態になっている。
【００１５】
遊技領域１０には、大型遊技部材１１が設置されており、その大型遊技部材１１の略中央には、液晶画面を有する図柄表示装置１９が設置されている。さらに、その図柄表示装置１９の下側には、遊技球を左右に転動させるためのステージ２２が形成されており、当該ステージの後方には、遮蔽板１３が、遊技盤４の表面と所定の距離を隔てて平行に対峙するように設けられている。
【００１６】
さらに、大型遊技部材１１の右下には、遊技球が通過可能なゲート９が設けられており、大型遊技部材１１の中央の下側（ステージの下側）には、電動役物ユニット１４が設けられている。当該電動役物ユニット１４には、始動入賞口（入賞装置）１５と普通電動役物（入賞装置）１６とが設けられており、普通電動役物１６は、上部の扉部材２３，２３が開閉するようになっている。また、電動役物ユニット１４の下側には、大入賞口ユニット（入賞装置）１８が設置されている。大入賞口ユニット１８は、内蔵された作動装置（図示せず）によって、横長な長方形の板状の扉部材１７を片開き（下端縁を軸として片開き）させることができるようになっている。
【００１７】
加えて、遊技領域１０には、大型遊技部材１１や大入賞口ユニット１８の他に、通常入賞装置２１，２１・・、電飾ランプ、風車等が設置されているとともに、多数の障害釘（図示せず）等が植設されている。
【００１８】
＜メカニカル演出装置の構成＞
大型遊技部材１１の中央より下側の内部には、左右一対のメカニカル演出装置３１ａ，３１ｂが、遮蔽板１３に隠れた状態で設置されている。図３〜図６は、左側のメカニカル演出装置３１ａを示したものであり、メカニカル演出装置３１ａは、ベース部材３２、駆動装置であるモータ３３、駆動歯車３４、伝達歯車３５，３５、作動歯車３６、カバー部材４８（図７参照）、支持部材３８、ボールベアリング機構を搭載したガイドレール３９、金属製で長尺な円柱状のガイドポール４０、作動補助部材４１、アーム部材４２、相撲取りの形を模した合成樹脂製の可動部材４３等によって構成されている。なお、右側のメカニカル演出装置３１ｂは、左側のメカニカル演出装置３１ａと左右対称に形成されており、可動部材４３の外観は左側のメカニカル演出装置３１ａのものと異なっているが、基本的な構造、形状、作動内容は、左側のメカニカル演出装置３１ａと同様である。
【００１９】
ベース部材３２は、透明な合成樹脂（ポリカーボネート）によって、平板状の基板４４（図７参照）の前方に平板状の前板４５が平行に設けられた２層構造に形成されており、中間が空洞になっている（なお、図３〜図６においては、基板４４の記載が省略されている）。そして、基板４４には、ガイドレール（レール）３９が傾斜状に固着されている。当該ガイドレール３９は、金属によって長尺状に形成されており、ベースフレーム４６に対して、アーム４７がスライド自在になっている。一方、前板４５には、モータ３３の主軸に固着された駆動歯車３４、２個の伝達歯車３５，３５、および作動歯車３６が回転可能に枢着されており、駆動歯車３４の回転が、２つの伝達歯車３５，３５を介して、作動歯車３６に伝達されるようになっている。
【００２０】
さらに、それらの歯車群の外側（前方側）には、透明な合成樹脂（ポリカーボネート）製で中空状のカバー部材４８が取り付けられており（図７参照）、そのカバー部材４８にモータ３３が固着された状態になっている。加えて、カバー部材４８の外側（前方側）には、透明な合成樹脂（ポリカーボネート）製で内側に長尺な中空の規制溝５０を形成した長尺状の規制部材４９が取り付けられており、規制溝５０の向きがガイドレール４０と平行になっている。
【００２１】
また、ベース部材３２の基板４４のモータ３３の設置部と反対側の端際には、金属製で長尺な円柱状のガイドポール４０が、基板４４と所定の間隔を隔てた状態で、ガイドレール３９の長手方向と平行になるように固着されている。
【００２２】
一方、支持部材３８は、合成樹脂（ポリアセタール）によって形成されている。そして、略台形の平板状のベース板５１の前面の右端縁際には、固着体５２が螺着されており、ベース板５１の前面の左端縁際には、長尺な四角柱状の固着片５３が設けられている。さらに、当該固着片５３の内側には、作動歯車３６と噛合する歯５５，５５・・を左側面に連設した長尺な直方体状のラック体５４が設けられている。また、固着体５２の上端際には、前面にフック５６を突設した押止片５７が内向きに突出するように設けられている。加えて、ベース板５１の表面と、当該ラック体５４の右側面と、固着体５２の左側面とによって長尺な凹溝５８が形成された状態になっており、その凹溝５８に沿うようにベース板５１の表面に長尺な係合孔５９が穿設されている。さらに、その係合孔５９の周囲（前面および後面）には、一定厚みで一定幅（前後幅）の壁体６０が、ベース板５１の板面と直交するように設けられている。また、ベース板５１の裏面の右端縁際には、ガイドポール４０を挿通可能な断面Ｕ字状の支持体６１が固着されている。
【００２３】
かかる支持部材３８は、固着片５３をガイドレール３９のアーム４７に固着させ、断面Ｕ字状の支持体６１内に、ベース部材３２に固着されたガイドポール４０を挿通させた状態で、ベース部材３２の基板４４の前面で、斜め上下にスライド可能に取り付けられている。そして、ラック体５４の歯車が、作動歯車３６と噛合した状態になっている。
【００２４】
また、作動補助部材４１は、透明な合成樹脂によって形成されており、ベース体６２の左端縁際の裏面に、長尺状のスライドバー６３が、ベース体６２の長手方向に対して傾斜するように一体的に形成されている。また、ベース体６２の左端縁の後端際には、係着片６４が突設されており、当該係着片６４の前面には、合成樹脂（ポリアセタール）によって形成された略円柱状のスライド補助体６５が固着されている。そして、当該作動補助部材４１は、スライドバー６３を支持部材３８のラック体５４の側方に形成された凹溝５８に嵌め込み、ベース体６２の左端縁の係着片６４のスライド補助体６５を規制部材４９の規制溝５０に嵌め込んだ状態で、支持部材３８に対して、スライド可能に取り付けられている。そして、支持部材３８の凹溝５８に嵌め込まれたスライドバー６３の下端と、支持部材３８に固着された固着体５２の押止片５７に設けられたフック５６との間に、コイルバネ６６が懸架されている。加えて、そのようにスライドバー６３が支持部材３８に対してスライド可能に取り付けられた状態においては、スライドバー６３の裏面に固着されたワッシャ部材（図示せず）および支持板６８が、支持部材３８のベース板５１の前面側、後面側において、ベース板５１の係合孔５９の周囲の壁体６０を相対動可能に把持した状態になっている。
【００２５】
また、作動補助部材４１のベース体６２の内側の端縁際には、発光部材等を設置するための設置体６９が形成されており、当該設置体６９の外側の端縁は、略円弧状になっている。さらに、作動補助部材４１のベース体６２の中央（左右の中央）よりやや外側には、略四角柱状の支軸体７０が上向きに突出するように設けられており、当該支軸体７０の先端には、ネジ挿通孔７１が設けられている。
【００２６】
一方、アーム部材４２は、透明な合成樹脂によって、くの字形に屈曲した棒状に形成されており、下側の作動アーム８０ａおよび上側の作動アーム８０ｂの外側の端縁に、それぞれ、軸挿通孔７２，７２が穿設されている。
【００２７】
また、可動部材４３は、合成樹脂製の本体部７３、頭部７６、上腕部７４ａ，７４ｂ、腕部７５ａ，７５ｂ等の複数の部品を組み付けることによって、相撲取りを模した形状に形成されている（なお、図６では、頭部７６や上腕部７４ａ，７４ｂ等を省略している）。また、第二駆動装置であるソレノイド（図示せず）が内蔵されており、当該ソレノイドによって左右の上腕部７４ａ，７４ｂ、腕部７５ａ，７５ｂ、および頭部７６が本体部７３に対して動く（回動、スライド）ようになっている。そして、本体部７３の右下端際の部分（相撲取りの足に相当する部分）の裏面が、ネジ部材を利用して、アーム部材４２の作動アーム８０ｂの外側の端縁に、回動可能に枢着されており、本体部７３の略中央（左右の略中央）で下端より上方の部分（相撲取りの臀部の内側に相当する部分）の裏面が、ネジ部材を利用して、作動補助部材４１の支軸体７０のネジ挿通孔７１の穿設部分に、回動可能に枢着されている。
【００２８】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様の中から一つの変動態様が選択され、当該変動態様に基づいて、図柄表示装置１９において所定の時間だけ図柄の変動表示を実行する。そして、当該変動表示の後に「大当たり図柄」あるいは「はずれ図柄」を表示することによって大当たり抽選の結果を表示する。
【００２９】
「大当たり状態」においては、大入賞口ユニット１８の扉部材１７が所定回数だけ断続的に開成する。したがって、遊技者は、「大当たり」が発生した場合には、多くの遊技球を大入賞口ユニット１８に入賞させることによって、多くの賞品球を獲得することができる。
【００３０】
＜メカニカル演出装置の作動内容＞
パチンコ機１においては、上記の如く、遊技球が始動入賞口１５に入賞する毎に、図柄の変動態様の抽選を実行するが、所定の変動態様（たとえば、所謂リーチ変動態様）が選択された場合には、所定のタイミングで、左右のメカニカル演出装置３１ａ，３１ｂが演出動作を実行する。すなわち、左右のメカニカル演出装置３１ａ，３１ｂにおける各可動部材４３は、当初、図１０に示すように可動部材４３の大部分が液晶画面外に位置する下降位置（退避位置）にあったところ、所定のタイミングで斜め上方にスライドする。そして、可動部材４３、４３の大部分が液晶画面の前に露出する演出位置（上昇位置）に達し、互いに接近し合った状態となった後（図７）、上腕部７４ａ，７４ｂおよび腕部７５ａ，７５ｂを前後に移動・回動させて手を出し合うかの如く作動する。その結果、大当たり抽選の結果に応じ、左側のメカニカル演出装置３１ａの可動部材４３、あるいは、右側のメカニカル演出装置３１ｂの可動部材４３のいずれかが傾動（後方へ回動）することにより、あたかも相撲取りが押し倒されたかの如く作動する。
【００３１】
かかる左右のメカニカル演出装置３１ａ，３１ｂは、上記した大当たり抽選の結果の図柄表示装置１９への表示とタイミングを合わせて実行され、大当たり抽選の結果が「大当たり」であった場合には、図８に示すように、右側のメカニカル演出装置３１ｂの可動部材４３のみが傾動し、左側のメカニカル演出装置３１ａの可動部材４３は傾動しない（したがって、遊技者には、相撲取りの「豊翔丸」が「黒龍」を押し倒したかの如く見える）。一方、大当たり抽選の結果が「はずれ」（「大当たり」以外）であった場合には、図９に示すように、左側のメカニカル演出装置３１ａの可動部材４３のみが傾動し、右側のメカニカル演出装置３１ｂの可動部材４３は傾動しない（したがって、遊技者には、相撲取りの「黒龍」が「豊翔丸」を押し倒したかの如く見える）。
【００３２】
上記の如く、メカニカル演出装置３１ａ（あるいは、メカニカル演出装置３１ｂ）を作動させる場合には、駆動装置であるモータ３３に電源が供給される。モータ３３に電源が供給されると、モータ３３の主軸に固着された駆動歯車３４の回転力が、伝達歯車３５，３５を介して、作動歯車３６に伝達される。
【００３３】
そして、作動歯車３６が回転すると、作動歯車３６と噛合し合ったラック体５４を有する支持部材３８が、作動補助部材４１および可動部材４３とともに、斜め上方（メカニカル演出装置３１ａの場合は、右斜め上方）へ所定位置までスライドする。このスライドにより、可動部材４３，４３はどちらも起立姿勢のまま退避位置から演出位置へスライドすることになる。なお、支持部材３８は、作動補助部材４１のスライド補助体６５を、カバー部材４８の規制部材４９の規制溝５０内に嵌め込んだ状態で、上記の如くスライドする。また、支持部材３８は、固着片５３に固着されたガイドレール３９の作用によって、非常にスムーズにスライドする。さらに、支持部材は、ベース部材３２のガイドポール４０に片端縁の支持体６１を外嵌させた状態でスライドするため、前後に振れることなくスライドする。
【００３４】
そして、可動部材４３が演出位置に達するまで支持部材３８がスライドすると、スライド補助体６５が規制部材４９の規制溝５０の上端まで到達するため、それ以上に上方へはスライドできなくなる。そのように、作動補助部材４１のスライド補助体６５の上方への移動が規制される位置まで支持部材３８がスライドすると、一旦（所定の時間だけ）、モータ３３への電源の供給が停止され、可動部材４３は演出位置で保持される（図６及び図７の状態）。なお、作動補助部材４１のスライド補助体６５の上方への移動が規制される位置まで支持部材３８がスライドしたことは、支持部材３８の作動片７７がベース部材３２の二股状のスイッチ７８の内部に入り込んだことで検知される。
【００３５】
さらに、その状態で、可動部材４３の内部のソレノイド（図示せず）に電源が供給されると（断続的に供給されると）、上腕部７４ａ，７４ｂが回動し、腕部７５ａ，７５ｂが前後動する。そのため、遊技者には、相撲取りが左右の手を交互に出し合うかの如く見える。
【００３６】
そして、上記の如く、所定の時間だけ、可動部材４３の内部のソレノイド（図示せず）に電源が供給された後に、大当たり抽選の結果を図柄表示装置１９へ表示するタイミングにおいてモータ３３に電源が供給されると、作動歯車３６の回転に伴って、ラック体５４を有する支持部材３８のみがさらに上方へ（退避位置から演出位置へと向かう方向と同方向へ）スライドする。この場合には、スライド補助体６５の上方への移動がカバー部材４８の規制部材４９の規制溝５０によって規制されているので、作動補助部材４１は上昇せず、支持部材３８のみが（コイルバネ６６の付勢力に抗して）上昇する。
【００３７】
また、可動部材４３は、上記の如く、本体部７３の中央（左右の中央）で下端よりやや上側の部分（相撲取りの臀部より若干前方に相当する部分）が、作動補助部材４１の支軸体７０の先端際のネジ挿通孔７１の位置で、支軸ピンによって枢着されているとともに、本体部７３の下端の前端際の部分（相撲取りの足に相当する部分）が、アーム部材４２の上側の作動アーム７９ａの先端際に、支軸ピンによって枢着されている。したがって、上記の如く、作動補助部材４１が上端で固定された状態で支持部材３８が上昇すると、可動部材４３は、作動補助部材４１の支軸体７０の先端際の枢着位置を支点として、回動（傾動）し、演出位置において起立姿勢から傾倒姿勢へと姿勢を変更する。すなわち、左側のメカニカル演出装置３１ａにおいては、図３〜図５、図９に示すように可動部材４３が反時計回りに回動することにより、演出位置において起立姿勢から傾倒姿勢へと姿勢を変更し、右側のメカニカル演出装置３１ｂにおいては、図８に示すように可動部材４３が時計回りに回動することにより、演出位置において起立姿勢から傾倒姿勢へと姿勢を変更する。そのため、遊技者には、一方の相撲取りが他方の相撲取りによって押し倒されたかの如く見える。
【００３８】
そして、上記の如く、可動部材４３が回動（傾動）した後には、モータ３３に電源（プラスマイナスが逆方向の電源）が供給され、作動歯車３６が支持部材３８の上昇時と反対方向に回転することによって、可動部材４３が逆方向に回動した後に可動部材４３とともに下降し、演出位置から退避位置へ復帰する。
【００３９】
＜遊技機の効果＞
パチンコ機１は、上記の如く、メカニカル演出装置３１ａ，３１ｂが、装飾を施した可動部材４３を、駆動装置であるモータ３３によってガイドレール３９に沿って直線移動させた後に回動可能なものであり、作動内容が斬新でダイナミックであるため、非常に高い演出効果を発現させることができるので、遊技の趣向性が高く、遊技者の遊技に対する意欲を長期間に亘って高く保持することができる。加えて、単一のモータ３３によって、可動部材４３をスライドおよび回転させるものであるため、安価に構成することができる。
【００４０】
また、パチンコ機１は、上記の如く、メカニカル演出装置３１ａ，３１ｂが、可動部材４３をガイドレール３９に沿って直線移動させるものであり、メカニカル演出装置３１ａ，３１ｂの作動が素早く、かつ、スムーズであるので、遊技の趣向性が非常に高く、遊技者の遊技に対する意欲をきわめて長期間に亘って高く保持することができる。
【００４１】
また、パチンコ機１は、メカニカル演出装置３１がモータ３３の主軸の回転運動を作動歯車３６およびラック体５４からなるラック・ピニオン機構を介して可動部材４３の直線運動、回転運動に変換するものであり、モータ３３の回転運動をロスなく可動部材４３の直線運動、回転運動に変換することができるため、少ない電力消費量で、可動部材４３をダイナミックにスライドおよび回転させることができる。また、長期間に亘って故障しにくく、メンテナンスが容易である。
【００４２】
＜遊技機の変更例＞
なお、本発明のパチンコ機の構成は、上記実施形態の態様に何ら限定されるものではなく、機枠、前面枠、遊技盤、供給皿、貯留皿、発射ハンドル、図柄表示装置、入賞装置、電動役物ユニット、大型遊技部材、メカニカル演出装置（ベース部材、駆動装置、支持部材、作動補助部材、アーム部材、可動部材等）等の形状、構造、材質等の構成を、本発明の趣旨を逸脱しない範囲で適宜変更することができる。
【００４３】
たとえば、メカニカル演出装置は、上記実施形態の如く、モータによってベース部材に対して支持部材が上下動するものに限定されず、ソレノイドによってベース部材に対して支持部材が上下動するもの等に変更することも可能である。また、可動部材は、相撲取りを模したものに限定されず、左右の上腕部、腕部をパンチを繰り出すような動きとしたボクサーに模したものもの等に変更することも可能である。
【００４４】
なお、上記実施形態においては、本発明に係る遊技機の一例を示したにすぎず、特許請求の範囲、明細書、図面に記載されたすべての要素（たとえば、メカニカル演出装置（ベース部材、駆動装置、支持部材、作動補助部材、アーム部材、可動部材等）、大型遊技部材、図柄表示装置等）は、個数を意識的に限定する明確な記載がない限り、物理的に単一であっても複数であっても構わないし、適宜配置の変更が行われても構わない。また、それらの要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。たとえば、「〜装置」は、ハード単体でも、ソフトを含んだものであっても構わない。さらに、上記したすべての要素のうちの複数の要素を適宜一体的に構成するか、もしくは一つの要素を複数の要素に分けて構成するかは、いずれも当業者であれば容易に考えられる事項である。したがって、その程度の範囲内での構成上の差異を有する遊技機を、上記実施形態に記載がなされていないことを理由に採用することのみでは、本発明に係る権利を回避したことにはならない（すなわち、本発明に係る遊技機の技術的範囲から外れるものとしたことにはならない）。その他、各要素の構成や形状等における、上記実施形態から当業者であれば容易に考えられる自明な範囲の差異についても同様である。
【産業上の利用可能性】
【００４５】
本発明の遊技機は、上記の如く、趣向性の高いものであるので、パチンコ機、スロットマシーン等の遊技機として好適に用いることができる。
【符号の説明】
【００４６】
１・・パチンコ機（遊技機）、４・・遊技盤、１８・・大入賞口（入賞装置）、２１・・入賞装置、３１・・メカニカル演出装置、３３・・モータ（駆動装置）、３６・・作動歯車（ピニオン）、３９・・ガイドレール（レール）、４３・・可動部材、５４・・ラック体。
【図１】
2020006268.tif 000003
【図２】
2020006268.tif 000004
【図３】
2020006268.tif 000005
【図４】
2020006268.tif 000006
【図５】
2020006268.tif 000007
【図６】
2020006268.tif 000008
【図７】
2020006268.tif 000009
【図８】
2020006268.tif 000010
【図９】
2020006268.tif 000011
【図１０】
2020006268.tif 000012